(57)【要約】【課題】  スーパー等で配布されるいわゆるレジ袋に関し、把手部が手や腕等にくい込まず、かつレジ袋をも保管しうる把手補助具を提供する。【解決手段】  把手補助具１１は比較的柔らかで可撓性のある素材からなり、長さ方向に外縁開口部１２と内縁開口部１９をまた中心部は中空部１３を有するように螺旋形の筒状に成形されている。  当該把手補助具１１の外縁開口部１２を開き、レジ袋１６の把手部に挟むように当該把手補助具１１を装着すると、レジ袋１６の把手部が手や腕に食い込むことはなくなる。  使用したレジ袋１６は、折り畳んだ後当該把手補助具１１の中空部Ｂ１３に収納しておく。次回買い物時にはレジ袋の入った当該把手補助具１１を持参し、収納したレジ袋を使用する。これを繰り返す。  以上のことで、例示袋の持ち運びが容易になるとともにいわゆるマイバッグ持参運動にも参加でき、資源保護にも資する。【選択図】図２
2010099431.tif 000002
【特許請求の範囲】
【請求項１】
可撓性のある素材からなる螺旋形状の筒で、当該筒の外縁部及び内縁部には長さ方向にレール状突起が設けられ、当該筒の外縁部及び内縁部は開口部を形成し、当該筒の外縁部もしくは内縁部の開口部を経由して袋類の把手部が当該螺旋形状の筒に着脱自在となり、さらに当該中空部には未使用の袋類を収納可能とした、把手補助具。
【請求項２】
当該筒の両端に適宜な切込みを設けた請求項１記載の把手補助具。
【発明の詳細な説明】
【技術分野】
【０００１】  本発明は、スーパーマーケットやコンビニエンスストア（以後「スーパー等」という）で配布される袋類（以後「レジ袋」という）の把手に装着して、レジ袋の把手部分が手や腕等にくい込みにくくして負担をやわらげ、さらに買い物時等においてすでに自己で保有するレジ袋を容易に携帯して再利用に供する、省資源、環境保護にも有用な、把手補助具に関するものである。
【背景技術】
【０００２】  スーパー等で配布されているレジ袋は、袋の厚みが薄いため、買い物を入れて持つと把手の幅が著しく細くなる。そのため持ち運びの際に把手部分が、指や手あるいは腕にくい込みやすく痛みを伴う時もある。また今日、レジ袋の大量消費は資源保護の立場から問題視され、レジ袋有料化やマイバッグ持参運動が導入されているがその効果はかなり限定的である。【０００３】  このような不便さを解消すべく、過去の特許文献には以下のようなものがある。（１）特許文献１は把手部分をＵ字型に形成して重いレジ袋が手などに食い込まないようにしたものであるが、他のレジ袋を収納し保管する機能はない。（２）特許文献２は箱状にレジ袋の把手内に空間を設けてレジ袋を自在に出し入れしようとしたものであるが、把手部分の構造が複雑で使用可能なものではない。（３）特許文献３は布状素材と面ファスナーを使ったものであり、初期の目的に叶う発明であるが素材に不織布や布帛を使用するため、特に汗や汚れに弱いことと耐用性能に疑問が残る。
【特許文献１】特許公開２００２−１５４５５７
【特許文献２】特許公開２００４−３３７２１１
【特許文献３】特許公開２００６−１４１９０７
【発明の開示】
【発明が解決しようとする課題】
【０００４】  上記のような過去の発明はそれなりに有効であるが、他のレジ袋を収納し保管する機能がない或いは、かかる機能を有していても構造が複雑で実用的でない、などの欠点があった。また現在は資源の有効利用が喫緊の課題であり、特にレジ袋等においては「マイバッグ持参運動」が導入されている。
本発明は、本体構造を簡単に、産業上も利用可能な構造にし、把手部分を持ち易くしつつ、レジ袋の「マイバッグ持参運動」化や資源保護運動の推進にも資するという二つの効果を求めたものである。
【課題を解決するための手段】
【０００５】  本発明の把手補助具１１は、ビニールやプラスチックなどの比較的柔らかでかつ可撓性のある基材からなり、図１の（Ａ）に示すように当該基材２０の両端にレール状の突起を設けたものを図１の（Ｂ）に示すように螺旋形状の筒に成形したものである。本図では基材の形状を方形としているが、方形に限定するものではなく、丸形や三角形であってもよい。
当該基材２０の両端に設けたレール状突起は、螺旋形状に形成すると片方は外側、すなわち外縁レール状突起１４となり、もう一方は内側に入り、すなわち内縁レール状突起１５となる。両レール状突起を有する外縁および内縁はともに当該基材２０に対してそれぞれ開口部を有するように形成されている。すなわち外縁部には外縁開口部１２が、内縁部においては内縁開口部１９が形成されている。さらに、当該基材２０は、図１の（Ｂ）に示すように中空部１３を有している。
以上が本発明の当該把手補助具１１である。【０００６】  使用に当たっては、当該外延開口部１２を開きレジ袋１６の把手部を当該外縁開口部１２を経由して、当該把手補助具１１に挿入する。図２は当該把手補助具１１の使用状況を示す斜視図である。当該把手補助具１１は当該レジ袋１６の把手部よりより太いため、当該把手補助具１１を当該レジ袋の把手部に装着することにより、当該レジ袋に重いものを入れて持っても当該レジ袋１６の把手部が手や腕に食い込むことはない。また当該レジ袋１６の把手部が当該把手補助具１１から滑り出そうになっても、当該外縁および当該内縁のレール状突起１４・１５に引っかかり、滑り出でにくくなる。【０００７】  使用済みの当該レジ袋１６を当該把手補助具１１に収納する場合は、当該レジ袋１６をたたみ、図３の（Ａ）に示すように外縁開口部１２を開き、図３の（Ｂ）に示すように当該把手補助具１１の中空部１３に挿入し、図３の（Ｃ）に示すように当該把手補助具１１が筒状になるように閉じればよい。【０００８】  なお、図４の（Ａ）に示すように当該基材２０の適宜な場所の両端に切込Ａおよび切込Ｂを設け上記のような方法で螺旋形状の筒を形成し、当該把手補助具１１としてもよい。
ここにおいては、使用済みの当該レジ袋１６の一部分を当該把手補助具１１のたとえば切込Ｂに引っ掛け、当該レジ袋１６が動かないようにした後で、残りの袋部分を当該把手補助具１１に巻き付け、最後に当該レジ袋１６の一部をもう一方の切込Ａに差し込むことで、使用済みの当がレジ袋１６は当該把手補助具１１に巻いた状態で保管することができる。
【発明の効果】
【０００９】  本発明による把手補助具を装着すれば、重いレジ袋を持っても把手部が手や腕に食い込むことはほとんどなく、さらにそのコンパクトさから、持ち合わせのレジ袋を把手補助具に入れて持ち歩くことに抵抗を感じないので、レジ袋の持参運動や環境保護に役立つという、二重の効果がある。
【発明を実施するための最良の形態】
【００１０】  当該把手補助具１１は上述したように適度なやわらかさと可撓性を有する素材であれば特定のものに限定するものではない。また基材の形状を限定するものではない。
以下、具体的実施方法を述べる。
【実施例１】
【００１１】  図１の（Ｂ）に示すように把手補助共１１は、手のひらの大きさ程度の長さで、長さ方向に外縁開口部１２と内側に内縁開口部１９を有し筒状の当該把手補助具の中空は中空部１３となっている。さらに当該把手補助具の外縁と内縁にはそれぞれ外縁レール状突起１４および内縁レール状突起１５が設けられている。
スーパー等で買い物後に渡されたレジ袋１６については、図２に示すように当該外縁開口部１２を開き、当該レジ袋１６の左右の把手部１５および１６の間に当該把手補助具１１をかぶせる。これで装着は完了するので、やや丸味を帯びた太めで筒状の当該把手補助具１１部分を持てば、レジ袋の中身が重くても手や腕等に食い込むことなく持ち運ぶことができる。【００１２】  帰宅後は、当該把手補助具１１を当該例袋１６からはずし、図３のＡに示すように当該外縁開口部１２を開き、図３の（Ｂ）に示すように折り畳んだ当該レジ袋１６を当該中空部１３に挿入し、さらに図３の（Ｃ）に示すように当該把手補助具１１が筒状になるように閉じれば、使用したレジ袋１６は容易に当該把手補助具１１に収納することができる。
次回スーパー等へ出かける時は、折り畳んだ当該レジ袋１６の入った当該把手補助具１１を持参すれば、買い物後改めてレジ袋１６をもらう必要はなくなる。すなわち「マイバッグ」を持参したと同様の効果が得られ、資源保護に貢献する。
【実施例２】
【００１３】  すでに、当該把手補助具１１に保管したレジ袋１６を有する場合は、スーパー等で買い物後は当該外縁開口部１２を開き、中から当該レジ袋１６を取り出し、中身をつめた後図２に示すように当該レジ袋１６の左右の把手部１５および１６の間に上記（００１１）で述べた要領で装着する。
帰宅後は当該レジ袋１６を上記（００１２）で述べた要領で保管し、以降同作業をくり返す。
【実施例３】
【００１４】  使用した当該レジ袋１６を当該把手補助具１１の当該中空部１３に収納するのではなく、図４の（Ａ）および（Ｂ）に示すように切込Ａと切込Ｂを有する把手補助具の場合は、当該レジ袋１６の把手部など比較的薄い部分を当該把手補助具１１のたとえば切込Ｂに引っ掛け、当該レジ袋１６が動かないようにした後で、残りの袋部分を当該把手補助具１１に巻き付け、最後に当該レジ袋１６の一部をもう一方の切込Ａに差し込むことで、使用済みの当がレジ袋１６は当該把手補助具１１に巻いた上体で保管することができる。
【産業上の利用可能性】
【００１５】本発明の把手補助具は、例えば柔らかいビニール片を手のひら大の長さで渦巻状の筒に形成し、長さ方向に外縁開口部１２と内縁開口部１９および中空部を設けたもので、形成も容易である。マイバッグ持参運動にも資するものであり、資源保護にも役立ち、産業上の利用可能性は大である。
【図面の簡単な説明】
【００１６】
【図１】把手補助具の斜視図で、（Ａ）は基材の加工原形を示す斜視図であり、（Ｂ）は把手補助具の完成斜視図
【図２】把手補助具の使用状況を示す斜視図
【図３】把手補助具へレジ袋を収納する手順を示す図で、（Ａ）は把手補助具の外縁開口部を経由してレジ袋を把手補助具の中空部へ挿入する状況を示す図で、（Ｂ）は把手補助具の中空Ｂにレジ袋を収納した状況を示す図で、（Ｃ）は外縁開口部を閉じてレジ袋が収納された状況を示す図
【図４】把手補助具の斜視図で、（Ａ）は切り込みを設けた基材の加工原形を示す斜視図であり、（Ｂ）は切り込みを設けた把手補助具の完成斜視図
【符号の説明】
【００１７】１１把手補助具                        １９内縁開口部
１２外縁開口部                        ２０基材
１３中空部                            ２１切込Ａ
１４外縁レール状突起                  ２２切込Ｂ
１５内縁レール状突起
１６レジ袋
１７左把手部
１８右把手部
【図１】
2010099431.tif 000003
【図２】
2010099431.tif 000004
【図３】
2010099431.tif 000005
【図４】
2010099431.tif 000006